(57)【要約】【解決手段】無線通信システムにおけるポリシー制御強化のための方法及び装置。移動局（１０５）は、通信サービスに対するリソース要求を生成する（５１５）。リソース要求は、通信サービスのタイプをユニークに識別する識別子を含む。パケットデータサービングノード（１４０）は、通信サービスに対するリソース要求を受け取り、このリソース要求を処理するポリシー制御エンティティ（４０５）を選択する。パケットデータサービングノードによるこの選択は、少なくとも識別子に基づく。選択されたポリシー制御エンティティは、このリソース要求についてポリシー制御を実行する。【選択図】      図５
2007511177.tif 000002
【特許請求の範囲】
【請求項１】
無線通信システムにおける方法であって、
通信サービスに対するリソース要求を生成することであって、前記リソース要求は、通信サービスのタイプをユニークに識別する識別子を含むことと、
前記通信サービスに対する前記リソース要求を受け取ることと、
前記リソース要求を処理するポリシー制御エンティティを選択することであって、前記選択は、前記識別子に少なくとも基づいていることと、
前記選択されたポリシー制御エンティティによって、前記リソース要求についてポリシー制御を実行することと
を備えた方法。
【請求項２】
前記リソース要求を生成することは、前記通信サービスを要求する移動局によって実行される請求項１に記載の方法。
【請求項３】
前記通信サービスを割り当てるアプリケーションエンティティを用いてセッション設定要求を開始することを更に備えた請求項１に記載の方法。
【請求項４】
前記セッション設定要求を開始することに応じて、移動局において、前記アプリケーションエンティティからの前記通信サービスのタイプをユニークに識別する識別子を受け取ることを更に備えた請求項３に記載の方法。
【請求項５】
前記リソース要求を生成する移動局に関連付けられたユーザプロファイルを得ることと、
前記ユーザプロファイルを前記ポリシー制御エンティティに送ることと
を更に備えた請求項２に記載の方法。
【請求項６】
前記ポリシー制御を実行することは更に、前記ユーザプロファイルに少なくとも部分的に基づいて、前記選択されたポリシー制御エンティティによって、前記リソース要求についてポリシー制御を実行することを備えた請求項５に記載の方法。
【請求項７】
通信サービスに対するリソース要求を生成する手段であって、前記リソース要求は、通信サービスのタイプをユニークに識別する識別子を含む手段と、
前記通信サービスに対する前記リソース要求を受け取る手段と、
前記リソース要求を処理するポリシー制御エンティティを選択する手段であって、前記選択は、前記識別子に少なくとも基づいている手段と、
前記選択されたポリシー制御エンティティによって、前記リソース要求についてポリシー制御を実行する手段と
を備えた装置。
【請求項８】
前記リソース要求を生成することは、前記通信サービスを要求する移動局によって実行される請求項７に記載の装置。
【請求項９】
前記通信サービスを割り当てるアプリケーションエンティティを用いて、セッション設定要求を開始する手段を更に備えた請求項７に記載の装置。
【請求項１０】
前記セッション設定要求を開始することに応じて、移動局において、前記アプリケーションエンティティからの前記通信サービスのタイプをユニークに識別する識別子を受け取る手段を更に備えた請求項９に記載の装置。
【請求項１１】
前記リソース要求を生成する移動局に関連付けられたユーザプロファイルを得る手段と、
前記ユーザプロファイルを前記ポリシー制御エンティティに送る手段と
を更に備えた請求項８に記載の装置。
【請求項１２】
前記ポリシー制御を実行する手段は更に、前記ユーザプロファイルに少なくとも部分的に基づいて、前記選択されたポリシー制御エンティティによって、前記リソース要求についてポリシー制御を実行する手段を備えた請求項１１に記載の装置。
【請求項１３】
通信サービスに対するリソース要求を生成する移動局であって、前記リソース要求は、通信サービスのタイプをユニークに識別する識別子を含む移動局と、
前記通信サービスに対する前記リソース要求を受け取り、前記リソース要求を処理するポリシー決定機能を選択するパケットデータサービングノードであって、前記選択は、前記識別子に少なくとも基づき、前記選択されたポリシー決定機能は、前記リソース要求についてポリシー制御を実行するパケットデータサービングノードと
を備えた無線通信システム。
【請求項１４】
前記移動局は、前記通信サービスを割り当てるアプリケーションエンティティを用いてセッション設定要求を開始する請求項１３に記載のシステム。
【請求項１５】
前記セッション設定要求を開始することに応じて、前記移動局は、前記アプリケーションエンティティからの前記通信サービスのタイプをユニークに識別する識別子を受け取る請求項１４に記載のシステム。
【請求項１６】
前記パケットデータサービングノードは、前記リソース要求を生成する移動局に関連付けられたユーザプロファイルを得て、前記ユーザプロファイルを前記ポリシー決定機能に送る請求項１３に記載のシステム。
【請求項１７】
前記ポリシー決定機能は、前記得られたユーザプロファイルに少なくとも部分的に基づいて、前記リソース要求についてポリシー制御を実行する請求項１６に記載のシステム。
【請求項１８】
無線通信システムにおける移動局であって、
通信サービスに対するリソース要求を生成するプロセッサであって、前記リソース要求は、通信サービスのタイプをユニークに識別する識別子を含むプロセッサと、
前記通信サービスに対する前記リソース要求を、通信ノードに送信する送信機であって、前記通信ノードは、前記リソース要求を処理するポリシー制御エンティティを選択し、前記選択は、前記識別子に少なくとも基づき、前記選択されたポリシー制御エンティティは、前記リソース要求についてポリシー制御を実行する送信機と
を備えた移動局。
【請求項１９】
前記プロセッサは、前記通信サービスを割り当てるアプリケーションエンティティを用いてセッション設定要求を開始する請求項１８に記載の移動局。
【請求項２０】
前記セッション設定要求を開始することに応じて、前記アプリケーションエンティティからの前記通信サービスのタイプをユニークに識別する識別子を受信する受信機を更に備えた請求項１９に記載の移動局。
【請求項２１】
前記通信ノードは、前記移動局に関連付けられたユーザプロファイルを取得し、前記ユーザプロファイルを前記ポリシー制御エンティティに送る請求項１８に記載の移動局。
【請求項２２】
前記選択されたポリシー制御エンティティは、前記ユーザプロファイルに少なくとも部分的に基づいて、前記リソース要求についてポリシー制御を実行する請求項２１に記載の移動局。
【請求項２３】
通信サービスに対するリソース要求を生成することであって、前記リソース要求は、通信サービスのタイプをユニークに識別する識別子を含むことと、
前記通信サービスに対する前記リソース要求を受け取ることと、
前記リソース要求を処理するポリシー制御エンティティを選択することであって、前記選択は、前記識別子に少なくとも基づいていることと、
前記選択されたポリシー制御エンティティによって、前記リソース要求についてポリシー制御を実行することと
を備えた方法を実行する命令のセットを用いてプログラムされたコンピュータ読取可能媒体。
【請求項２４】
前記リソース要求を生成することは、前記通信サービスを要求する移動局によって実行される請求項２３に記載のコンピュータ読取可能媒体。
【請求項２５】
前記通信サービスを割り当てるアプリケーションエンティティを用いてセッション設定要求を開始することを更に備えた請求項２３に記載のコンピュータ読取可能媒体。
【請求項２６】
前記セッション設定要求を開始することに応じて、移動局において、前記アプリケーションエンティティからの前記通信サービスのタイプをユニークに識別する識別子を受け取ることを更に備えた請求項２５に記載のコンピュータ読取可能媒体。
【請求項２７】
前記リソース要求を生成する移動局に関連付けられたユーザプロファイルを得ることと、
前記ユーザプロファイルを前記ポリシー制御エンティティに送ることと
を更に備えた請求項２４に記載のコンピュータ読取可能媒体。
【請求項２８】
前記ポリシー制御を実行することは更に、前記ユーザプロファイルに少なくとも部分的に基づいて、前記選択されたポリシー制御エンティティによって、前記リソース要求についてポリシー制御を実行することを備えた請求項２７に記載のコンピュータ読取可能媒体。
【発明の詳細な説明】
【技術分野】
【０００１】
本発明は、一般に、通信システムに関し、更に詳しくは、無線通信システムにおけるポリシー制御強化のための方法及び装置に関する。
【背景技術】
【０００２】
無線通信技術は、過去数年にわたって爆発的に成長した。この成長は、ハードワイヤ通信システムに「束縛」されていることとは反対に、公共通信への動きの自由化を与える無線サービスによって主に刺激された。それは、数ある要因の中でも、無線媒体による音声及びデータ通信の品質及び速度の向上によって更に刺激されている。通信分野におけるこれら強化の結果、無線通信は、増大しつつある公衆通信の数について重大なインパクトを持っており、これからも持ち続けるであろう。
【０００３】
一般に、無線通信システムにおける移動局通信は、様々なタイプの通信サービスが提供される。これは、その他のタイプのサービスの中でも、ＳＩＰベースのサービス、ストリームベース（ストリーミング）サービスを含む。移動局は、通常、特定の通信サービスに対するリソース準備要求を生成し、このリソース要求は、移動局によって要求されるサービスのタイプに特有であるポリシー決定機能（ＰＤＦ）によって判定されることにより、ポリシー制御に基づいて受諾又は拒否かのいずれかがなされる。ポリシー決定機能は、一般に、リソース要求とネットワークポリシーとを作成する移動局に関連付けられたユーザプロファイルに少なくとも部分的に基づいて、移動局のリソース要求についてポリシー決定を行う。しかしながら、一般に、ポリシー決定機能は、リソース要求を作成する移動局のユーザプロファイルへの直接接続を持たない。なぜなら、それは通常、ユーザ認証プロセスに含まれないからである。
【０００４】
移動局によって生成されるリソース要求は、一般に、移動局へのリソース要求を認めるかのポリシー決定を行うポリシー決定機能（ＰＤＦ）へリソース要求を転送するパケットデータサービングノード（ＰＤＳＮ）において受信される。上述したように、各ポリシー決定機能は、サービス固有のものであって、取り扱う通信サービスの具体的なタイプのリソース要求に対するポリシー決定のみを行う。例えば、移動局は、ストリーミングサービスのための無線通信システムから、一定量の帯域幅割当を要求しうる。ストリーミングサービスのための帯域幅の割り当てのためのポリシー制御は、ネットワークの特定のポリシー決定機能によって取り扱われる。一方、別のポリシー決定機能は、（例えば、ＳＩＰベースのサービスのような）別のタイプの通信サービスに対するリソース要求を取り扱う。
【０００５】
起こる問題は、パケットデータサービングノードは、一般に、移動局によって要求される通信リソース要求サービスタイプに気付かないことである。その結果、パケットデータサービングノードは、移動局によって開始された具体的なタイプのリソース要求を取り扱うために、どのポリシー決定機能にコンタクトするのか分からない。これは、リソース要求が取り扱われる便宜を減らす。存在する別の問題は、ポリシー決定機能は、要求している移動局のユーザプロファイルを取得して、ポリシー決定を行う必要があるので、移動局のリソース要求についてのＰＤＦのポリシー決定は、移動局のユーザプロファイルへの直接接続を持たないという結果として妨げられることである。なぜなら、ＰＤＦは、ユーザ認証プロセスに含まれないからである。
【０００６】
本発明は、上述した一つ又は複数の問題に打ち勝つことに、又はその影響を少なくとも低減することに向けられている。
【発明の開示】
【０００７】
本出願は、代理人明細書番号０４００６４Ｐ１を持ち、本譲受人に譲渡され、参照することにより本書に明確に含まれるAC Mahendranらによる"3GPP2 Policy Control Enhancement"と題され、２００３年１１月４日に出願された米国仮出願６０／５１７，４５４号に対する優先権を主張する。
【０００８】
本発明の一つの局面では、無線通信システムにおける方法が提供される。この方法は、通信サービスに対するリソース要求を生成することを含む。このリソース要求は、通信サービスのタイプをユニークに識別し、通信サービスに対するリソース要求を受信する識別子を含む。この方法は更に、リソース要求を処理するポリシー制御エンティティを、少なくとも識別子に基づいて選択することと、選択されたポリシー制御エンティティによってリソース要求に関してポリシー制御を実行することとを含む。
【０００９】
本発明の別の局面では、装置が提供される。この装置は、通信サービスに対するリソース要求を生成する手段と、前記通信サービスのためのリソース要求を受け取る手段とを備えている。リソース要求は、通信サービスのタイプをユニークに識別する識別子を含んでいる。この装置は更に、リソース要求を処理するためのポリシー制御エンティティを選択する手段と、選択されたポリシー制御エンティティによって、前記リソース要求に関するポリシーを実行する手段とを備えている。ここで、選択することは、少なくとも識別子に基づく。
【００１０】
本発明の別の局面では、無線通信システムが提供される。この無線通信システムは、通信サービスに対するリソース要求を生成する移動局を備えている。このリソース要求は、通信サービスのタイプをユニークに識別する識別子を含んでいる。この通信サービスに対するリソース要求を受け取り、更に、このリソース要求を処理するためのポリシー決定機能を選択するためにパケットデータサービングノードが提供される。ここで、選択することは、少なくとも識別子に基づいており、選択されたポリシー決定機能は、リソース要求に関してポリシー決定機能を実行する。
【００１１】
本発明の更に別の局面では、無線通信システムにおける移動局が提供される。この移動局は、通信サービスに対するリソース要求を生成するプロセッサを備えている。このリソース要求は、通信サービスのタイプをユニークに識別する識別子を含んでいる。移動局は更に、通信サービスに対するリソース要求を通信ノードに送信する送信機を備えている。この通信ノードは、このリソース要求を処理するポリシー制御エンティティを選択する。この選択することは、少なくとも識別子に基づき、選択されたポリシー制御エンティティは、このリソース要求に関してポリシー制御を実行する。
【００１２】
本発明の更に別の局面では、方法を実行する命令の集合でプログラムされたコンピュータ読取可能記憶媒体が提供される。この方法は、通信サービスに対するリソース要求を生成することと、前記通信サービスに対するリソース要求を受け取ることとを含んでいる。このリソース要求は、通信サービスのタイプをユニークに識別する識別子を含んでいる。この方法は更に、リソース要求を処理するポリシー制御エンティティを選択することと、選択されたポリシー制御エンティティによって、リソース要求に関するポリシー制御を実行することとを含む。ここで、選択することは、少なくとも識別子に基づく。
【発明を実施するための最良の形態】
【００１３】
図面、特に図１に参照するように、無線通信システム１００が、本発明の一つの実施例に従って示されている。この無線通信システム１００は、複数の基地局（ＢＳ）１１０と通信する複数の移動局（ＭＳ）１０５を備えている。移動局１０５は、無線通信システム１００を横断するので、これら基地局（ＢＳ）１１０は、移動局１０５に連続的な通信エリアを提供するために地理的に分散されている。
【００１４】
移動局１０５は、例えば、無線電話、パーソナル情報マネジャ（ＰＩＭ）、パーソナルデジタルアシスタンツ（ＰＤＡ）、ラップトップコンピュータ、又は無線通信のために構成されたその他のタイプのコンピュータ端末の形態をとる。基地局１１０は、無線通信チャネル１１５の順方向リンクによって、移動局１０５へデータを送信し、移動局１０５は、無線通信チャネル１１５の逆方向リンクによって、基地局１１０へデータを送信する。
【００１５】
一つの実施例では、無線通信システム１００は、一般に、ｃｄｍａ２０００仕様のリリースに対応している。ｃｄｍａ２０００は、第三世代（３Ｇ）無線通信規格である。例示された実施例に従って、無線通信システム１００は、ｃｄｍａ２０００規格の３ＧＰＰ２（第三世代パートナシッププロジェクト）改訂Ｄを用いて動作するように意図されている。別の実施例では、無線通信システム１００は、Ｗ−ＣＤＭＡ(Wideband Code Division Multiple Access)規格のリリース６に従って動作するかもしれないが、他の実施例は、Ｗ−ＣＤＭＡ規格のその他のリリースで実施されるかもしれない。ここで説明した実施例は、限定するのではなく、典型例として考慮されるべきであることが理解されよう。従って、このシステム１００は、本発明の精神及び範囲から逸脱することなく、その他種々のタイプの無線通信システムの形態をとるかもしれず、従って、上述した例に限定される必要は必ずしもない。
【００１６】
各基地局１１０は、基地局コントローラ（ＢＳＣ）１２０に接続されている。基地局コントローラ１２０は、無線通信システム１００の基地局１１０及びその他の無線通信コンポーネント間の接続を制御する。基地局１１０及び基地局コントローラ１２０は集合的に、無線通信システム１００内で通信する複数の移動局１０５との間でのデータ伝送のための無線アクセスネットワーク（ＲＡＮ）を形成する。基地局１１０は、有線Ｅ１又はＴ１リンクの形態をとりうる逆送通信リンクによって基地局コントローラ１２０に接続されている。あるいは、この逆送通信リンクは、限定される必要は必ずしもないが、マイクロ波、光ファイバ等を含む多くの有線又は無線通信媒体のうちの任意の一つを用いて具体化されうる。
【００１７】
図１における無線通信システムの簡略図は、本発明を伝えるのみのために単純である。無線通信システム１００が、本発明の精神及び範囲から逸脱することなく、移動局１０５、基地局１１０、及び基地局コントローラ１２０の任意の数を用いて構成され、従って、図１に示す例に限定される必要は必ずしもないことが理解されるであろう。
【００１８】
例示された実施例では、基地局コントローラ１２０が、無線通信システム１００内で通信する移動局１０５に利用可能な通信機能を効果的に拡張するために、種々の通信システムコンポーネットに接続されている。この通信システムコンポーネントは、その中で通信する移動局１０５によってアクセスされるインターネット１６０、公衆交換電話網（ＰＳＴＮ）１５０、及びパケットデータサービングノード（ＰＤＳＮ）１４０を含む。更に、無線通信システム１００は、その中で通信する移動局１０５の各々のために認証及び課金サービスを提供する認証、許可、及び課金（ＡＡＡ：Authentication, Authorization, and Accounting）サーバ１７０を用いて構成されている。ＡＡＡサーバ１７０は、無線通信システム１００内で通信する移動局１０５の各々のためのユーザプロファイル（図示せず）を保持する。このユーザプロファイルは、ＡＡＡサーバ１７０による移動局１０５の認証、許可、及び課金を提供するために、その他の様々な情報の中でも、無線通信システム１００によって移動局１０５へ与えられる様々な通信サービスに関する情報を含む。この無線通信システム１００は、本発明の精神及び範囲から逸脱することなく、その他様々なタイプの通信システムコンポーネントと対話しうることが認められるであろう。更に、図１に示すように、ＰＤＳＮ１４０を介してＢＳＣ１２０へ接続されているのとは逆に、ＰＳＴＮ１５０、インターネット１６０、及びＡＡＡサーバ１７０のＢＳＣ１２０への直接的な接続がありうる。
【００１９】
図２には、本発明の一つの実施例に従った移動局１０５のより詳細な表示が示されている。そのより簡単な形態では、移動局１０５は、無線通信チャネル１１５の逆方向リンクを介して基地局１１０へデータを送信するための送信機２０５を備えている。移動局１０５はまた、無線通信チャネル１１５の順方向リンクを介して基地局１１０から送信されたデータを受信する受信機２１０をも含んでいる。別の実施例では、送信機２０５及び受信機２１０は、図示されるように、二つの個別のエンティティとして具体化されているのとは逆に、単一のトランシーバユニットに統合されうる。送信機２０５と受信機２１０とは、無線通信チャネル１１５を介した移動局１０５と基地局１１０との間でのデータの無線送受信を容易にするために、アンテナ２１５に接続されている。
【００２０】
移動局１０５は更に、移動局１０５の様々な動作機能を制御するプロセッサ２２０と、データを格納するメモリ２２５とを備えている。一つの実施例では、プロセッサ２２０は、デジタル信号プロセッサ（ＤＳＰ）チップの形態をとる。しかしながら、プロセッサ２２０は、その他様々な商業的に利用可能なプロセッサ又はコントローラの形態をとりうることが認められるであろう。
【００２１】
移動局１０５はまた、プロセッサ２２０に接続され、移動局１０５によって無線通信チャネル１１５を介して基地局１１０へ送信用データを提供するデータ入力２３０を備えている。このデータ入力２３０は、例えばコンピュータ端末のようなデータ生成デバイスからの入力又はマイクロフォンの形態を取る。このデータ入力２３０は、その他様々な形態で実現されて、プロセッサ２２０へデータを提供するので、上述した例に限定される必要は必ずしもないことが認められるであろう。
【００２２】
データ入力２３０を介して受け取られたデータは、プロセッサ２２０によって処理され、その後、無線通信チャネル１１５の逆方向リンクを介して基地局１１０へ送信するために送信機２０５へ転送される。基地局１１０から、無線通信チャネル１１５の順方向リンクを介して受信機２１０によって受信されたデータは、処理のためにプロセッサ２２０へ転送され、更に、移動局１０５のユーザへ与えられるためにデータ出力２３５へ転送される。このデータ出力２３５は、スピーカ、ビジュアルディスプレイ、及びデータデバイスへの出力（例えば、コンピュータ端末）のうちの少なくとも一つ、又はこれらの任意の組み合わせの形態をとる。このデータ出力２３５は、その他様々な視覚又は聴覚感知可能デバイスを備えているかもしれず、上述した例に必ずしも限定される訳ではないことが認められるであろう。図２に示す移動局１０５の簡略図は、本発明を伝えるのみのために単純である。従って、移動局１０５が、例示した以外の移動局１０５のその他様々な特徴及び／又は機能を可能にするその他のコンポーネントを含んでいるかもしれないことも認められるであろう。
【００２３】
図３には、基地局１１０のより詳細な図面が、本発明の一つの実施例に従って示されている。この簡略な形態のうちの一つにおいては、基地局１１０は、無線通信チャネル１１５の順方向リンクを介して移動局１０５へデータを送信する送信機３０５と、無線通信チャネル１１５の逆方向リンクを介して移動局１０５から送信されるデータを受信する受信機３１０とを備えている。代替実施例では、送信機３０５及び受信機３１０が、図示するような二つの個別のエンティティとして具体化されているのとは逆に、一つのトランシーバユニットに統合される。送信機３０５及び受信機３１０は、無線通信チャネル１１５を介した基地局１１０と移動局１０５との間のデータの送受信を容易にするためにアンテナ３１５に接続されている。
【００２４】
基地局１１０は、更に、様々な動作機能を制御するプロセッサ３２０と、データを格納するメモリ３２５とを用いて構成される。一つの実施例では、プロセッサ３２０は、デジタル信号プロセッサ（ＤＳＰ）チップの形態をとる。しかしながら、プロセッサ３２０は、本発明の精神及び範囲から逸脱することなく、その他様々な商業的に利用可能なプロセッサ又はコントローラの形態をとりうることが認められるであろう。基地局１１０は更に、基地局１１０を基地局コントローラ１２０にインタフェースするための通信インタフェース３４０を備えている。基地局１１０は、例示するもの以外の様々な機能を実行するための追加コンポーネットを備えて構成されうることが認められるであろう。
【００２５】
図１に戻って、ＰＤＳＮ１４０は、無線通信システム１００内で移動局１０５によって望まれる具体的な通信サービスのタイプに対するリソース準備要求を受け取る。特定の移動局１０５によって生成されたリソース準備要求は、無線通信システム１００によって移動局１０５へ与えられた様々なタイプの通信サービスを含みうる。例えば、移動局１０５によるリソース準備要求は、ビデオのための１００ｋｂｐｓの帯域幅に対する要求を含むかもしれない。しかしながら、移動局１０５によって開始されたリソース準備要求は、その他様々なタイプの通信サービスに対する要求を含んでいるかもしれないので、上述した例に必ずしも限定される必要はないことが認められるであろう。
【００２６】
図４には、無線通信システム１００のためのポリシー制御アーキテクチャの典型的なブロック図が、本発明の一つの実施例に従って示されている。移動局１０５が通信サービスに対するリソース準備要求を開始すると、ＰＤＳＮ１４０は、特定の移動局のリソース準備要求に関してネットワークポリシー決定を行う一つ又は複数のポリシー決定機能（ＰＤＦ）４０５にアクセスする。例示した実施例に従ったＰＤＦ４０５は、この要求を生成する特定の移動局１０５のユーザプロファイル、及びネットワークポリシーに少なくとも部分的に基づいて、移動局のリソース準備要求に関してポリシー決定を行うように構成されている。各ＰＤＦ４０５は、サービスに特有であるので、ＰＤＳＮ１４０は、移動局１０５によって要求されるサービスのタイプ（例えば、ＳＩＰベースのサービス、ストリーミングベースのサービス等）に依存して異なるＰＤＦ４０５にアクセスする。
【００２７】
各ＰＤＦ４０５は、移動局１０５によって要求されるリソース準備を提供するために、少なくとも一つのアプリケーション機能（ＡＦ：application function）４１０に関連付けられる。ＡＦ４１０は、一般に、移動局１０５のユーザプロファイル、及びネットワークポリシーへのアクセスが与えられないので、ＡＦ４１０は、ポリシー制御を与えない。ＰＤＳＮ１４０に関連付けられたＰＤＦ４０５の数は、図４に示す例に必ずしも限定される必要がないことが認められるであろう。従って、ＰＤＳＮ１４０は、本発明の精神及び範囲から逸脱することなく、例示された二つではなく、それよりも多いか又は少ないＰＤＦ４０５に関連付けられているかもしれない。
【００２８】
図５には、無線通信システム１００のポリシー制御アーキテクチャ（図４に例示する）のコンポーネントと、移動局１０５との間の信号フロー図が、本発明の一つの実施例に従って示されている。５０５では、移動局１０５がＡＦ４１０にセッション設定要求を送る。ＡＦ４１０は、移動局１０５によって要求されたリソース準備要求の通信サービスのためのリソース割り当てを与える。例えば、移動局１０５は、ビデオのための１００ｋｂｐｓの帯域幅を要求する。従って、この特定の例では、セッション設定要求が、特定のアプリケーション機能（ＡＦ）へ送られ、ＡＦが、ビデオに対する帯域幅割り当てを、要求している移動局１０５へ与える。しかしながら、移動局１０５によって生成された通信リソース準備要求は、変わるかもしれないので、上述された例に必ずしも限定される必要はないことが認められるであろう。
【００２９】
移動局１０５からセッション設定要求メッセージを受け取ると、ＡＦ４１０は、セッション設定進行中メッセージを移動局１０５へ送る。一つの実施例に従うと、このセッション設定進行中メッセージは、サービスタイプ、セッションＩＤ、及びＡＦアドレスを含む。サービスタイプは、移動局１０５によって要求されているアプリケーションサービス（例えば、ＳＩＰベースのサービス、ストリームベースのサービス等）のタイプを識別する。セッションＩＤは、移動局１０５によって生成された要求に対する特定のセッションを識別するためにＡＦ４１０によって選択される番号である。ＡＦアドレスは、移動局１０５によってなされた要求を取り扱うように設定された特定のＡＦ４１０を識別する。一つの実施例では、ＡＦアドレスは、省略されていないドメイン名（ＦＱＤＮ：Fully-Qualified Domain Name）の形態をとる。代替実施例では、ＡＦアドレスは、ＩＰアドレスの形態をとる。しかしながら、ＡＦアドレスはＦＱＤＮ又はＩＰアドレスに必ずしも限定される必要はないが、本発明の精神及び範囲から逸脱することなく、特定のサービス要求を与える特定のＡＦ４１０を識別するために使用されるその他のアドレスタイプの形態をとりうることが認められるであろう。
【００３０】
５１５では、移動局１０５が、ベアラリソース要求メッセージをＰＤＳＮ１４０に送る。このベアラリソース要求メッセージは、５１０において特定のサービス要求を取り扱うＡＦ４１０によって移動局１０５へ提供されるＡＦアドレス、セッションＩＤ、及びサービスタイプを含む。上述したように、ＰＤＳＮ１４０は、移動局１０５から送られたリソース準備要求のための特定のサービスである複数のＰＤＦ４０５で構成される。移動局１０５から送られたベアラリソース要求メッセージ内のサービスタイプフィールドに基づいて、ＰＤＳＮ１４０は、ポリシー制御のために、どの特定のＰＤＦ４０５に問い合わせるのかを知る。
【００３１】
５２０では、ＰＤＳＮ１４０が、示されたサービスタイプ（ベアラリソース要求メッセージ内で受け取られた）に関連付けられたＰＤＦ４０５にポリシー制御要求メッセージを送る。一つの実施例では、ポリシー制御要求メッセージはまた、セッションＩＤ及びＡＦアドレスのみならず、特定の移動局１０５に関連付けられたユーザプロファイルを含んでいる。一つの実施例では、ＰＤＳＮ１４０が、認証、許可、及び課金（ＡＡＡ）サーバアクセス受諾におけるパケットデータセッション確立の認証フェーズの間に、移動局のホームＡＡＡサーバ１７０から、移動局のユーザプロファイルを取得する。
【００３２】
５２５では、ＰＤＦ４０５が、受け取られたポリシー制御要求メッセージで与えられたＡＦアドレスによって識別されたＡＦ４１０へ情報取得要求メッセージ（Get-Info request message）を送る。
【００３３】
一つの実施例では、この情報取得要求メッセージは、ポリシー制御要求メッセージにも含まれ、ＡＦ４１０への移動局のリソース準備要求に付随している特定のセッションを識別するためのセッションＩＤを含んでいる。セッションＩＤは、５０５において、関連するＰＤＦ４０５が、移動局１０５によって要求されたセッション関連パラメータを取得することができるように、ＡＦ４１０へ与えられる。
【００３４】
５３０では、情報取得要求メッセージを受け取ったＡＦ４１０は、情報取得応答を、要求されたセッション関連パラメータをＰＤＦ４０５に配信するための要求を作成するＰＤＦ４０５に送る。これらセッション関連パラメータをＡＦ４１０から受け取ると、次に、ＰＤＦ４０５は、ネットワークポリシーを定義するセッション関連パラメータと、移動局のユーザプロファイルとに基づいてポリシー決定を行う。
【００３５】
５４０では、ＰＤＦ４０５が、ポリシー制御応答メッセージによるＰＤＳＮ１４０への移動局のリソース準備要求に基づいて、ポリシー決定（すなわち、「受諾」又は「拒否」決定）を示す。ポリシー決定が「拒否」決定の場合、ＰＤＦ４０５は、ポリシー制御状態メッセージ内の「拒否」決定をＡＦ４１０に示す。これによって、移動局１０５によって始められたリソース準備要求のためのセッションを解除することができる。５４５では、ＰＤＳＮ１４０が、５４０においてポリシー制御応答内に提供されたポリシー決定を示す移動局１０５へベアラリソース応答メッセージを送る。ポリシー決定が「受諾」決定の場合、ＰＤＦ４０５は、ポリシー制御状態メッセージをＡＦ４１０に送るが、５４５において、ＰＤＳＮ１４０が、適切なベアラリソースを割り当て、ベアラリソース応答を移動局１０５に送り、移動局１０５にポリシー決定を示す。
【００３６】
図６には、本発明の一つの実施例に従って、移動局１０５によって生成されたリソース準備要求のためにポリシー制御を与えるプロセスが示されている。ブロック６０５では、移動局１０５が、セッション設定要求をＡＦ４１０に送る。ＡＦ４１０は、移動局１０５によって要求されるリソース準備要求のために通信サービスを提供する。ブロック６０５における、移動局１０５からのセッション設定要求メッセージを受け取ることに応答して、ブロック６１０では、ＡＦ４１０が、サービスタイプ、セッションＩＤ、及びＡＦアドレスを含むセッション設定進行中メッセージを移動局１０５へ送る。サービスタイプは、移動局１０５によって要求されているアプリケーションサービス（例えば、ＳＩＰベースのサービス、ストリームベースのサービス等）のタイプを識別する。セッションＩＤは、移動局１０５によって生成される要求に対する特定のセッションを識別するためにＡＦ４１０によって選択される番号である。ＡＦアドレスは、移動局１０５によってなされた要求を取り扱うように構成された特定のＡＦ４１０を識別する。一つの実施例では、ＡＦアドレスは、省略されていないドメイン名（ＦＱＤＮ）又はＩＰアドレスの形態をとりうる。
【００３７】
ブロック６１５では、移動局１０５が、ベアラリソース要求メッセージをＰＤＳＮ１４０に送る。ベアラリソース要求メッセージは、５１０において、特定のサービス要求を取り扱うＡＦ４１０によって移動局１０５に提供されたＡＦアドレス、セッションＩＤ、及びサービスタイプを含む。上述したように、ＰＤＳＮ１４０は、移動局１０５から送られたリソース準備要求のためのサービス特有である複数のＰＤＦ４０５を用いて構成される。移動局１０５から送られたベアラリソース要求メッセージ内のサービスタイプフィールドに基づいて、ＰＤＳＮ１４０は、ポリシー制御のために、どの特定のＰＤＦ４０５に問い合わせるのかを知る。
【００３８】
ブロック６２０では、ＰＤＳＮ１４０が、（ベアラリソース要求メッセージで受け取られた）示されたサービスタイプに関連付けられたＰＤＦ４０５へポリシー制御要求メッセージを送る。一つの実施例に従うと、ポリシー制御要求メッセージはまた、セッションＩＤ及びＡＦアドレスに加えて、特定の移動局１０５に関連付けられたユーザプロファイルをも含む。一つの実施例では、ＰＤＳＮ１４０が、認証、許可、及び課金（ＡＡＡ）サーバアクセス受諾におけるパケットデータセッション確立の認証フェーズの間に、移動局のホームＡＡＡサーバ１７０から、移動局のユーザプロファイルを取得する。
【００３９】
ブロック６２５では、ＰＤＦ４０５が、受け取ったポリシー制御要求メッセージで与えられたＡＦアドレスによって識別されたＡＦ４１０に、情報取得要求メッセージを送る。一つの実施例では、この情報取得要求メッセージは、ポリシー制御要求メッセージにも含まれ、ＡＦ４１０への移動局のリソース準備要求に付随している特定のセッションを識別するためのセッションＩＤを含む。セッションＩＤは、関連付けられたＰＤＦ４０５が、移動局１０５によって要求されたセッション関連パラメータを取得することができるようにＡＦ４１０に与えられる。
【００４０】
情報取得要求メッセージを受け取ったＡＦ４１０は、この要求を行うＰＤＦ４０５に情報取得応答を送り、この要求されたセッション関連パラメータをＰＤＦ４０５に配信する。ＡＦ４１０からこれらセッション関連パラメータを受け取ると、その後、ＰＤＦ４０５は、ネットワークポリシーを定義するセッション関連パラメータ及び移動局のユーザプロファイルに基づいて、ポリシー決定を行う。
【００４１】
ブロック６３０では、ＰＤＦ４０５が、ポリシー制御応答メッセージによるＰＤＳＮ１４０への移動局のリソース準備要求に関し、ポリシー決定（すなわち、「受諾」又は「拒否」決定）を示す。ポリシー決定が「拒否」決定の場合、ＰＤＦ４０５は、ポリシー制御状態メッセージ内の「拒否」決定をＡＦ４１０に示す。これによって、移動局１０５によって始められたリソース準備要求のためのセッションを解除することができる。ブロック６３５では、ＰＤＳＮ１４０が、ポリシー制御応答内に提供されたポリシー決定を示す移動局１０５へベアラリソース応答メッセージを送る。ポリシー決定が「受諾」決定の場合、ＰＤＦ４０５は、ポリシー制御状態メッセージをＡＦ４１０に送るが、ＰＤＳＮ１４０は、適切なベアラリソースを割り当て、ベアラリソース応答を移動局１０５に送り、移動局１０５にポリシー決定を示す。
【００４２】
当該技術分野における熟練者であれば、これら情報および信号が、種々異なった技術や技法を用いて表されることを理解するであろう。例えば、上述した記載の全体で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００４３】
これら熟練者であれば、更に、ここで開示された実施例に関連して記載された様々な説明的論理ブロック、モジュール、回路、およびアルゴリズムステップが、電子工学ハードウェア、コンピュータソフトウェア、あるいはこれらの組み合わせとして実現されることを理解するであろう。ハードウェアとソフトウェアとの相互互換性を明確に説明するために、様々に例示された部品、ブロック、モジュール、回路、およびステップが、それらの機能に関して一般的に記述された。それら機能がハードウェアとして又はソフトウェアとして実現されているかは、特定のアプリケーション及びシステム全体に課せられている設計制約に依存する。熟練した技術者であれば、各特定のアプリケーションに応じて変更した方法で上述した機能を実施しうる。しかしながら、この適用判断は、本発明の範囲から逸脱したものと解釈されるべきではない。
【００４４】
ここで開示された実施例に関連して記述された様々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００４５】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００４６】
開示された実施例における上述の記載は、当該技術分野におけるいかなる人であっても、本発明の活用または利用を可能とするように提供される。これらの実施例への様々な変形例もまた、当該技術分野における熟練者に対しては明らかであって、ここで定義された一般的な原理は、本発明の主旨または範囲を逸脱せずに他の実施例にも適用されうる。このように、本発明は、ここで示された実施例に制限されるものではなく、ここで記載された原理と新規の特徴に一致した最も広い範囲に相当するものを意図している。
【図面の簡単な説明】
【００４７】
【図１】図１は、本発明の一つの例示的な実施例に従った無線通信システムのブロック図である。
【図２】図２は、図１の無線通信システムにおいて通信する移動局の詳細表現を示す。
【図３】図３は、図１の無線通信システム内の基地局の詳細表現を示す。
【図４】図４は、本発明の一つの実施例に従った図１の無線通信システムにおいて実施されるポリシー制御アーキテクチャを例示するブロック図である。
【図５】図５は、図４のポリシー制御アーキテクチャのコンポーネントと移動局との間の信号フロー図を示す。
【図６】図６は、本発明の一つの実施例に従った無線通信システムにおいてポリシー制御を提供するための処理のフロー図を示す。
【図１】
2007511177.tif 000003
【図２】
2007511177.tif 000004
【図３】
2007511177.tif 000005
【図４】
2007511177.tif 000006
【図５】
2007511177.tif 000007
【図６】
2007511177.tif 000008
【国際調査報告】
2007511177.tif 000009
2007511177.tif 000010